(57)【特許請求の範囲】
【請求項１】
単位化された用量でカプセル封入された液体洗濯組成物であって、
前記液体洗濯組成物の２〜１５重量％の水と、
コア・イン・シェル構造（core-in-shell）を有するアルデヒド含有樹脂を含んでなるマイクロカプセルと、
前記液体洗濯組成物の０．００１〜２．０重量％のイオウを主成分とするホルムアルデヒド捕捉剤であって、亜硫酸のアルカリ金属塩又はアルカリ土類金属塩、亜硫酸水素のアルカリ金属塩又はアルカリ土類金属塩およびそれらの混合物からなる群より選択されたホルムアルデヒド捕捉剤と、
前記液体洗濯組成物の０．０００１〜１重量％のイオウ以外を主成分とするホルムアルデヒド捕捉剤であって、アセト酢酸アミドである前記イオウ以外を主成分とするホルムアルデヒド捕捉剤と、
界面活性剤と、
を含んでなり、
前記イオウを主成分とするホルムアルデヒド捕捉剤のマイクロカプセル壁材に対する重量比率が、０．０５：１〜１０：１であり、
前記イオウ以外を主成分とするホルムアルデヒド捕捉剤の前記イオウを主成分とするホルムアルデヒド捕捉剤に対する重量比率が、０．００１：１〜５：１であることを特徴とする、液体洗濯組成物。
【請求項２】
前記液体洗濯組成物が、前記マイクロカプセルと、１つ以上のイオウ以外を主成分とするホルムアルデヒド捕捉剤と、を含む、あらかじめ調製されたスラリーを含んでなる、請求項１に記載の単位化された用量でカプセル封入された液体洗濯組成物。
【請求項３】
前記マイクロカプセルが、香料原材料、シリコーン油、ワックス、炭化水素、高級脂肪酸、精油、脂質、皮膚冷却剤、ビタミン、日焼け止め剤、酸化防止剤、グリセリン、触媒、漂白剤粒子、二酸化ケイ素粒子、悪臭低減剤、染料、増白剤、抗菌活性物質、制汗活性物質、カチオン性ポリマー、又はそれらの混合物からなる群から選択される有益剤を含む、請求項１または２に記載の単位化された用量カプセル封入された液体洗濯組成物。
【請求項４】
前記液体洗濯組成物が、水溶性フィルムに封入され、
前記水溶性フィルムが、
ポリビニルアルコール、カルボキシメチルセルロース、セルロース誘導体、デンプン、加工デンプン、糖、ポリエチレングリコール（ＰＥＧ）、ワックス、又はこれらの組み合わせからなるものを含んでなり、
前記液体洗濯組成物は、さらに、前記液体洗濯組成物の１〜８０重量％の界面活性剤を含んでなり、
前記界面活性剤が、アニオン性界面活性剤、非イオン性界面活性剤、陽イオン性界面活性剤及びこれらの混合物からなる群から選択される、請求項１〜３のいずれか一項に記載の単位化された用量でカプセル封入された液体洗濯組成物。
【発明の詳細な説明】
【技術分野】
【０００１】
本発明は、マイクロカプセルを含む液体組成物に関し、前記マイクロカプセルはホルムアルデヒド含有樹脂、及び高速の反応動力学を有するホルムアルデヒド捕捉剤を含む。より好ましくは、捕捉剤はイオウを主成分とするホルムアルデヒド捕捉剤である。組成物は、好ましくは付加的にマイクロカプセルの前もって混合されたスラリー中に存在する少なくとも１つの更なるホルムアルデヒド捕捉剤を含み、このスラリーは最終生成物の液体組成物に加えられる。スラリーを介して加えられる前記の更なるホルムアルデヒド捕捉剤はイオウを主成分とすることができるが、好ましくはイオウ以外を主成分とする。
【背景技術】
【０００２】
香料、シリコーン、ワックス、芳香剤、ビタミン及び布地柔軟化剤のような有益剤は高価であるが、一般に、パーソナルケア組成物、洗浄組成物及び布地ケア組成物の中に高濃度で使用される場合、あまり効果がない。結果として、かかる有益剤の効率を最大限にすることが望ましい。かかる目的を実現する一つの方法は、送達効率及び有益剤の存続期間を改善することである。このことはマイクロカプセルの成分として有益剤を提供することにより実現され得る。
【０００３】
マイクロカプセルは、有益剤を非水溶性多孔性担体に担持するか、又は有益剤を非水溶性シェルに封入するかのどちらかにより作製される。後者の範疇のマイクロカプセル封入剤は、例えば、ＧＢ−Ａ−Ｏ  ７５１  ６００、ＵＳ−Ａ−３  ３４１  ４６６及びＥＰ−Ａ−０  ３８５  ５３４に記載されるようなコアセルベアートなどの、界面におけるポリマーの沈殿及び堆積により作製されるか、又はＵＳ−Ａ−３  ５７７  ５１５、ＵＳ−Ａ−２００３／０１２５２２２、ＵＳ−Ａ−６  ０２０  ０６６、Ｗ０２００３／１０１６０６、ＵＳ−Ａ−５  ０６６  ４１９に記載されるような界面縮合などの他の重合経路により作製される。カプセル封入化の特に有用な手段は、ＵＳ−Ａ−３  ５１６  ９４１、ＵＳ−Ａ−５  ０６６  ４１９及びＵＳ−Ａ−５  １５４  ８４２に記載されるメラミン／尿素−ホルムアルデヒド縮合反応を用いるものである。かかるカプセルは、最初にメラミン／尿素及びホルムアルデヒドの反応により得られた前縮合媒体中で有益剤を小さな液滴に乳化させ、次いで、油水界面での沈殿に同調する重合反応の進行を放置する。サイズにおいて数μｍから数ｍｍの範囲にわたるカプセル封入物が、次いで水媒体中の懸濁物形態として得られる。
【０００４】
マイクロカプセルはいくつかの利益を提供する。それらは有益剤を組成物中の非相溶性成分との物理又は化学反応、揮発若しくは蒸発から保護する利益を持つ。マイクロカプセルは有益剤を基材に送達し、布地が乾燥するなどの所望の条件下で破裂するという更なる利点を有する。マイクロカプセルは香料の送達及び保存において特に効果的である。香料はマイクロカプセルにより布地に送達され、その中に保持され、マイクロカプセルは布地が乾燥したときにのみ破裂して香料を放出する。
【先行技術文献】
【特許文献】
【０００５】
【特許文献１】ＧＢ−Ａ−Ｏ  ７５１  ６００
【特許文献２】ＵＳ−Ａ−３  ３４１  ４６６
【特許文献３】ＥＰ−Ａ−０  ３８５  ５３４
【特許文献４】ＵＳ−Ａ−３  ５７７  ５１５
【特許文献５】ＵＳ−Ａ−２００３／０１２５２２２
【特許文献６】ＵＳ−Ａ−６  ０２０  ０６６
【特許文献７】Ｗ０２００３／１０１６０６
【特許文献８】ＵＳ−Ａ−５  ０６６  ４１９
【特許文献９】ＵＳ−Ａ−３  ５１６  ９４１
【特許文献１０】ＵＳ−Ａ−５  １５４  ８４２
【発明の概要】
【発明が解決しようとする課題】
【０００６】
好適なマイクロカプセルはコア・イン・シェル（core-in-shell）構造を有し、ホルムアルデヒドを含む樹脂のシェルを含む。しかしながら本出願人は、マイクロカプセルのコアの内容物とは無関係に、かかるマイクロカプセルが組成物中に製剤化されるときには、前記マイクロカプセルを含む組成物が変色することを見出している。特に問題があるのは青い製品が緑に変色することである。このことは製品が透明又は半透明の容器に包装されているときに特に問題となる。変色は、マイクロカプセルの濃度及び保存温度に依存するように思われる。より高い保存温度及び／又はより高いマイクロカプセルの濃度は、より早く、より大きな色深度で変色する製品をもたらす。
【課題を解決するための手段】
【０００７】
本発明による、アルデヒド含有樹脂と、ｐＨ  ８及び２１℃において１５分間で６０％を超える反応完結度を達成するホルムアルデヒドと反応する１つ以上のホルムアルデヒド捕捉剤と、を含む、マイクロカプセルを含む液体組成物が提供される。
【０００８】
本発明による、アルデヒド含有樹脂と、１つ以上のイオウを主成分とするホルムアルデヒド捕捉剤と、所望により１つ以上のイオウ以外を主成分とするホルムアルデヒド捕捉剤と、を含むマイクロカプセルを含む液体組成物が更に提供される。
【０００９】
本発明による、
ｉ）アルデヒド含有樹脂及び所望により１つ以上のホルムアルデヒド捕捉剤を含むマイクロカプセルのスラリーを調製する工程と；
ｉｉ）前記のスラリーを１つ以上のイオウを主成分とするホルムアルデヒド捕捉剤を含む組成物に加える工程と、を含む組成物を調製するためのプロセスが提供される。
【発明を実施するための形態】
【００１０】
本発明の液体組成物は、洗濯用又は硬質表面洗浄処理用組成物として使用するのに適している。
【００１１】
用語「液体」は、ニュートン的又は非ニュートン的なレオロジーを有する粘稠な又は流動性の液体及びゲルを含むことを意味する。前記組成物は容器中か、カプセル封入された単位化された用量として包装され得る。後者については以下に、より詳細に記述する。液体組成物は水性又は非水性であってよい。組成物が水性の場合には、２０％〜９０％の水、より好ましくは２０％〜８０％の水、最も好ましくは２５％〜６５％の水を含んでよい。非水性組成物は２０％未満の水、好ましくは１５％未満の水、最も好ましくは１０％未満の水を含んでよい。水溶性フィルムの中に液体組成物を包装した用量単位化製品で使用される組成物は、非水性と記述されることが多い。この用途のための本発明による組成物は、好ましくは２％〜１５％の水、より好ましくは２％〜１０％の水、最も好ましくは４％〜１０％の水を含む。
【００１２】
本発明の組成物は、好ましくは、２０ｓ−１及び２１℃において、１〜１００００ｍＰａ．ｓ（１〜１００００センチポアズ）、より好ましくは１００〜７０００ｍＰａ．ｓ（１００〜７０００センチポアズ）、最も好ましくは２００〜１５００ｍＰａ．ｓ（２００〜１５００センチポアズ）の粘度を有する。粘度は従来法で測定できる。本発明による粘度は、直径４０ｍｍ及び間隙寸法が５００μｍの平板の鋼製主軸を用いるＴＡ  ｉｎｓｔｒｕｍｅｎｔｓのＡＲ  ５５０レオメーターを使用して測定する。
【００１３】
マイクロカプセル
本発明のマイクロカプセルはアルデヒド含有樹脂を含む。より好ましくはマイクロカプセルはコア・イン・シェル構造を有する。より好ましくはシェルはアミノ樹脂である。最も好ましくはマイクロカプセルはホルムアルデヒド含有シェルを含む。
【００１４】
マイクロカプセルは好ましくはコア物質、少なくとも部分的に、好ましくは完全にコア物質を包囲するシェル壁材を含む。前記マイクロカプセルは好ましくは以下を有する：
ａ．）約１．５〜約６．０、約２．０〜約３．５、又は更に約２．５〜約３．２の粒径変動係数；
ｂ．）約０．６９ｋＰａ（０．１ｐｓｉａ）〜約７５８．４ｋＰａ（１１０ｐｓｉａ）、約６．８９〜約３４４．７ｋＰａ（約１〜約５０ｐｓｉａ）、又は更に約２７．６〜約１１０．３ｋＰａ（約４〜約１６ｐｓｉａ）の破壊強度；
ｃ．）約２〜約１１０、約３０〜約９０、又は更に約４０〜約７０の有益剤保持；及び
ｄ．）約１マイクロメートル〜約１００マイクロメートル、約５マイクロメートル〜約８０マイクロメートル、又は更に約１５マイクロメートル〜約５０マイクロメートルの平均粒径。
【００１５】
（１）有益剤保持率
ａ．）粒子を用いる組成物９９グラムに対して、粒子１グラムを加える。
ｂ．）２週間にわたって４０℃で密封されたガラス瓶の中に前記ａ．）の粒子含有組成物をエージングする。
ｃ．）前記ｂ．）から濾過により粒子を回収する。
ｄ．）粒子から有益剤の全てを抽出する溶媒で、前記ｃ．）の粒子を処理する。
ｅ．）前記ｄ．）からガスクロマトグラフに有益剤含有溶媒を注入し、ピーク面積を積分して、粒子試料から抽出された有益剤の総量を求める。
ｆ．）次に、この量をマイクロカプセルから何も漏出していなければ存在しているはずの量（例えば、マイクロカプセルを介して組成物に投与されたコア材料の総量）で除算する。次いで、この値に平均粒径と平均粒子厚さとの比を乗算して有益剤保持率を得る。
【００１６】
有益剤保持率を測定する詳細な分析手順は以下の通りである。
【００１７】
内部標準液
２５ｍｇのドデカンを秤量皿に秤量する。エタノールを使用してこのドデカンを１０００ｍＬメスフラスコにすすぎ入れる。エタノールを標線まで加える。混合するまで溶液を撹拌する。この溶液は２ヶ月間にわたって安定である。
【００１８】
較正標準
コア材料７５ｍｇを検量して１００ｍＬメスフラスコに入れる。内部標準液で前記の容量まで希釈する。この標準液は２ヶ月間にわたって安定である。よく混合する。ガスクロマトグラフ／水素炎イオン化検出器により分析する。
【００１９】
基本的な試料調製（試料を三重に調製）
粒子を含有するエージングした組成物の試料１，０００グラムを計量し、１００ｍＬ三口ビーカー（tri-pour beaker）に入れる。重量を記録する。この三口ビーカーに２−エチル−１，３−ヘキサンジオールを４滴（およそ０．１グラム）加える。脱イオン水５０ｍＬをビーカーに加える。１分間にわたって撹拌する。６０ｃｃシリンジを使用して、ミリポア・ニトロセルロース・フィルター膜（Millipore Nitrocellulose Filter Membrane）（１．２ミクロン、２５ｍｍ直径）で濾過する。ヘキサン１０ｍＬでフィルターをすすぐ。フィルター膜を注意深く取り外し、２０ｍＬシンチレーションバイアルに移す（ピンセットを使用する）。フィルターを含有するシンチレーションバイアルに内部標準液（前記で調製したような）１０ｍＬを加える。ふたをきつく閉め、混合し、バイアルを６０℃に加熱し３０分間保つ。室温に冷却する。１ｍＬを取り、０．４５ミクロンＰＴＦＥシリンジフィルターで濾過してガスクロマトグラフ用バイアルに入れる。１ｍＬの分取試料を濾過するのに数個のＰＴＦＥフィルターが必要とされる。ガスクロマトグラフ／水素炎イオン化検出器により分析する。
【００２０】
ガスクロマトグラフ（ＧＣ）／水素炎イオン化検出器分析方法：
カラム−３０ｍ×０．２５ｍｍ  ｉｄ、１−μｍ  ＤＢ−１相。ＥＰＣ制御及び一定流量機能付き６８９０型ガスクロマトグラフ方法−５０℃に１分間保持し、温度勾配４℃／分で３００℃にし、１０分間保持。
注射器−２４０℃で、１μＬスプリットレス注入
【００２１】
ガスクロマトグラフ／水素炎イオン化検出器分析方法−マイクロボアカラム法
カラム−２０ｍ×０．１ｍｍ  ｉｄ、０．１μｍ  ＤＢ−５。ＥＰＣ制御及び一定流量機能付きＧＣ−６８９０型ガスクロマトグラフ（一定流量０．４ｍＬ／分）。方法−５０℃、保持しないまま温度勾配１６℃／分で２７５℃にし、３分間保持注射器２５０℃で１μＬスプリット注入（８０：１スプリット）。
【００２２】
計算：
【数１】
0005864700.tif 000002
［式中、
Ａｉｓ＝コア物質較正標準中の内部標準の面積；Ｗｐｅｒ−ｓｔｄ＝較正試料中のコア物質の重量；Ａｐｅｒ−ｓａｍ＝粒子試料を含む組成物中のコア物質ピークの面積；Ａｐｅｒ−ｓｔｄ＝較正試料中のコア物質ピークの面積；Ａｉｓ−ｓａｍ粒子試料を含む組成物中の内部標準の面積；Ｗｓａｍ＝粒子試料を含む組成物の重量。］
【数２】
0005864700.tif 000003
［式中、
μは試験方法１からの平均粒子直径、及びＴは試験方法３から計算された平均粒子厚みである。］
【００２３】
（２）破壊強度
ａ．）蒸留脱イオン化（ＤＩ）水の中に粒子１グラムを入れる。
ｂ．）脱イオン化水中に粒子を１０分間にわたって保持させておき、次に濾過により粒子を回収する。
ｃ．）５０個の粒子の破裂力を平均することにより、粒子の平均破裂力を求める。粒子の破断力は、Ｚｈａｎｇ，Ｚ．；Ｓｕｎ，Ｇ；「Ｍｅｃｈａｎｉｃａｌ  Ｐｒｏｐｅｒｔｉｅｓ  ｏｆ  Ｍｅｌａｍｉｎｅ−Ｆｏｒｍａｌｄｅｈｙｄｅ  ｍｉｃｒｏｃａｐｓｕｌｅｓ，」Ｊ．Ｍｉｃｒｏｅｎｃａｐｓｕｌａｔｉｏｎ，ｖｏｌ  １８，ｎｏ．５，ｐａｇｅｓ  ５９３〜６０２，２００１に与えられている手順を使用して決定される。次に、平均破裂力（ニュートン）を球体粒子の（試験方法１により求められる）平均断面積（πｒ２、ｒは圧縮前の粒子の半径）で除算することにより、平均破壊圧力を計算する。
ｄ．）次の式を用いて平均破壊強度を計算する。
【数３】
0005864700.tif 000004
［式中、
Ｐは前記ａ．）よりの平均破損圧力、ｄは粒子の平均直径（試験方法１により計算されたもの）、Ｔは下式により決定される粒子シェルの平均シェル厚みである：
【数４】
0005864700.tif 000005
式中、
ｃは粒子中の平均香料含有率；ｒは平均粒子半径；ρwallはＡＳＴＭ方法Ｂ９２３−０２、「Ｓｔａｎｄａｒｄ  Ｔｅｓｔ  Ｍｅｔｈｏｄ  ｆｏｒ  Ｍｅｔａｌ  Ｐｏｗｄｅｒ
Ｓｋｅｌｅｔａｌ  Ｄｅｎｓｉｔｙ  ｂｙ  Ｈｅｌｉｕｍ  ｏｒ  Ｎｉｔｒｏｇｅｎ  Ｐｙｃｎｏｍｅｔｒｙ」、ＡＳＴＭ  Ｉｎｔｅｒｎａｔｉｏｎａｌにより決定されるシェルの平均密度である。ρperfumeは、ＡＳＴＭ方法Ｄ１４８０−９３（１９９７）「Ｓｔａｎｄａｒｄ  Ｔｅｓｔ  Ｍｅｔｈｏｄ  ｆｏｒ  Ｄｅｎｓｉｔｙ  ａｎｄ  Ｒｅｌａｔｉｖｅ  Ｄｅｎｓｉｔｙ（Ｓｐｅｃｉｆｉｃ  Ｇｒａｖｉｔｙ）ｏｆ  Ｖｉｓｃｏｕｓ  Ｍａｔｅｒｉａｌｓ  ｂｙ  Ｂｉｎｇｈａｍ  Ｐｙｃｎｏｍｅｔｅｒ」、ＡＳＴＭ  Ｉｎｔｅｒｎａｔｉｏｎａｌにより決定される香料の平均密度である。
【００２４】
出願人の本発明の一つの態様において、前記マイクロカプセルは、本明細書に記載されたパラメータのあらゆる組合せを有しても、及び／又は含んでもよい。
【００２５】
好適なマイクロカプセル壁材としては、ホルムアルデヒド又はグルタルホルムアルデヒドと架橋した尿素、ホルムアルデヒドと架橋したメラミンのような１つ以上のホルムアルデヒドと、１つ以上のアミンとの反応生成物、グルタルホルムアルデヒドと架橋したゼラチン−ポリリン酸塩コアセルベアート、及びそれらの混合物からなる群から選択される物質が挙げられる。１つの態様では、壁材料は、ホルムアルデヒドで架橋されたメラミンを含む。
【００２６】
有用なコア有益剤としては、香料原材料、シリコーン油、ワックス、炭化水素、高級脂肪酸、精油、脂質、皮膚冷却剤、ビタミン、日焼け止め剤、酸化防止剤、グリセリン、触媒、漂白剤粒子、二酸化ケイ素粒子、悪臭低減剤、染料、増白剤、抗菌活性物質、制汗活性物質、カチオン性ポリマー、及びそれらの混合物が挙げられる。１つの態様において、前記香料原材料は、アルコール、ケトン、アルデヒド、エステル、エーテル、ニトリル、アルケンよりなる群から選択される。１つの態様では、前記香料は、約２５０℃未満の沸点（Ｂ．Ｐ．）及び約３未満のＣｌｏｇＰを有する香料原材料、約２５０℃を超えるＢ．Ｐ．及び約３を超えるＣｌｏｇＰを有する香料原材料、約２５０℃を超えるＢ．Ｐ．及び約３未満のＣｌｏｇＰを有する香料原材料、約２５０℃未満のＢ．Ｐ．及び約３を超えるＣｌｏｇＰを有する香料原材料、及びこれらの混合物からなる群から選択される香料原材料を含んでもよい。約２５０℃未満の沸点Ｂ．Ｐ．及び約３未満のＣｌｏｇＰを有する香料原材料は象限（Quadrant）Ｉの香料原材料として知られ、約２５０℃超過のＢ．Ｐ．及び約３超過のＣｌｏｇＰを有する香料原材料は象限ＩＶの香料原材料として知られ、約２５０℃超過のＢ．Ｐ．及び約３未満のＣｌｏｇＰを有する香料原材料は象限ＩＩの香料原材料として知られ、約２５０℃未満のＢ．Ｐ．及び約３超過のＣｌｏｇＰを有する香料原材料は象限ＩＩＩの香料原材料として知られる。１つの態様では、前記香料は、約２５０℃未満のＢ．Ｐ．を有する香料原材料を含む。１つの態様では、前記香料は、象限Ｉ、ＩＩ、ＩＩＩの香料原材料及びこれらの混合物からなる群から選択される香料原材料を含む。１つの態様では、前記香料は、象限ＩＩＩの原料香料を含む。好適な象限Ｉ、ＩＩ、ＩＩＩ及びＩＶの香料原材料は、米国特許第６，８６９，９２３  Ｂ１号に開示されている。
【００２７】
マイクロカプセル及びスラリー含有マイクロカプセル製造のプロセス
マイクロカプセルは商品として入手可能である。前記マイクロカプセルの製造のプロセスは当技術分野において記載されている。好適なマイクロカプセルのより具体的な製造プロセスは、ＵＳ  ６，５９２，９９０  Ｂ２及び／又はＵＳ  ６，５４４，９２６  Ｂ１、及び本明細書に開示される実施例に記載されている。
【００２８】
本発明のスラリーは、この製造プロセスの結果として生じる組成物である。前記スラリーは、マイクロカプセル、水、及びマイクロカプセル製造のための前駆体物質を含む。スラリーは、重合過程の活性剤及び／又はｐＨ緩衝剤などの、他の副次的成分を含み得る。ホルムアルデヒド捕捉剤をスラリーに加え得る。
【００２９】
ホルムアルデヒド捕捉剤
本出願人は、ホルムアルデヒド含有マイクロカプセルを含む組成物が経時的に変色することを見出した。この現象はマイクロカプセルのコアにまったく有益剤が存在しない場合でも存在する。本出願人は、更に最も安定な、特に色が安定な最終組成物を実現するためのホルムアルデヒド捕捉剤の選定において好適な選択が存在することを見出した。本発明の１つの実施形態では、組成物は１つ以上のイオウを主成分とするホルムアルデヒド捕捉剤を含む。液体組成物は、１つ以上のイオウ以外を主成分とするホルムアルデヒド捕捉剤を、所望により、追加的に含む。
【００３０】
イオウを主成分とする捕捉剤は、組成物への添加に先立って、マイクロカプセルを含むスラリーに加えることができる。しかしながら、スラリー中での高濃度のイオウを主成分とする捕捉剤は、プラント安全性の問題として認識される、高濃度の二酸化硫黄の放出を招く可能性がある。イオウを主成分とするホルムアルデヒド捕捉剤は、したがって好ましくは製品に直接加えられる。イオウ以外を主成分とする捕捉剤は、存在する場合には、スラリー中のホルムアルデヒドの適切な制御を保証するために、組成物への添加に先立って、マイクロカプセルを含むスラリーに、好ましくは加えられる。本出願人は、イオウ以外を主成分とする捕捉剤が、洗剤組成物に直接加えられる場合、それがスラリーを介して添加される場合でさえも、捕捉剤の存在にもかかわらず組成物が変色を示すことを見出している。
【００３１】
イオウ以外を主成分とするホルムアルデヒド捕捉剤としては、尿素、エチレン尿素、リシン、グリシン、セリン、カルノシン、ヒスチジン、３，４−ジアミノ安息香酸、アラントイン、グリコウリル、アントラニル酸、アントラニル酸メチル、メチル４−アミノベンゾエート、アセト酢酸エチルト、アセト酢酸アミド、マロンアミド、アスコルビン酸、１，３−ジヒドロキシアセトン二量体、ビウレット、オキサミド、ベンゾグアナミン、ピログルタミン酸、ピロガロール、没食子酸メチル、没食子酸エチル、没食子酸プロピル、トリエタノールアミン、コハク酸アミド、ベンゾトリアゾール、トリアゾール、インドリン、オキサミド、ソルビトール、グルコース、セルロース、ポリ（ビニルアルコール）、部分的に加水分解されたポリ（ビニルホルムアミド）、ポリ（ビニルアミン）、ポリ（エチレンイミン）、ポリ（オキシアルキレンアミン）、ポリ（ビニルアルコール）−コ−ポリ（ビニルアミン）、ポリ（４−アミノスチレン）、ポリ（Ｌ−リシン）、キトサン、ヘキサンジオール、エチレンジアミン−Ｎ，Ｎ’−ビスアセト酢酸アミド、Ｎ−（２−エチルヘキシル）アセト酢酸アミド、２−ベンゾイルアセト酢酸アミド、Ｎ−（３−フェニルプロピル）アセト酢酸アミド、リリアール、ヘリオナール、メロナール、トリプラール、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、水酸化アンモニウム、ベンジルアミン、ヒドロキシシトロネロール、シクロヘキサノン、２−ブタノン、ペンタンジオン、デヒドロ酢酸、水酸化アンモニウム、又はこれらの混合物からなる群から好ましくは選択される物質が挙げられる。好ましくは前記イオウ以外を主成分とする捕捉剤は、アセト酢酸アミド、水酸化アンモニウム、及びそれらの混合物からなる群から選択される。
【００３２】
イオウを主成分とするホルムアルデヒド捕捉剤は硫酸塩誘導体からなる群から選択される。より具体的には、それは、亜ジチオン酸のアルカリ金属塩又はアルカリ土類金属塩、ピロ亜硫酸のアルカリ金属塩又はアルカリ土類金属塩、亜硫酸のアルカリ金属塩又はアルカリ土類金属塩、亜硫酸水素のアルカリ金属塩又はアルカリ土類金属塩、メタ亜硫酸のアルカリ金属塩又はアルカリ土類金属塩、モノアルキル亜硫酸のアルカリ金属塩又はアルカリ土類金属塩、ジアルキル亜硫酸のアルカリ金属塩又はアルカリ土類金属塩、ジアルキレン亜硫酸のアルカリ金属塩又はアルカリ土類金属塩、アルカリ金属塩又はアルカリ土類金属塩の硫化物、チオ硫酸及びチオシアン酸のアルカリ金属塩又はアルカリ土類金属塩（例えば、チオシアン酸カリウム）、チオグリコール酸のアルカリ金属塩又はアルカリ土類金属塩、メルカプトエタノールのアルカリ金属化物又はアルカリ土類金属化物、４−ヒドロキシ−２−メルカプト−６−メチルピリミジンのアルカリ金属塩又はアルカリ土類金属塩、メルカプトチアゾリンのアルカリ金属化物又はアルカリ土類金属化物などのメルカプタンのアルカリ金属化物又はアルカリ土類金属化物、チオジプロピオン酸のアルカリ金属塩又はアルカリ土類金属塩などのチオジアルカン酸のアルカリ金属塩、アルカリ土類金属塩、３，３’−ジチオジプロピオン酸のアルカリ金属塩又はアルカリ土類金属塩などのジチオジアルカン酸アルカリ金属塩又はアルカリ土類金属塩、ホルムアルデヒドスルホキシル酸ナトリウム又はホルムアミジノスルフィン酸ナトリウムなどのスルフィン酸のアルカリ金属塩又はアルカリ土類金属塩、チオ尿素又は、それらの混合物よりなる群から選ばれる。前記捕捉剤活性は、好ましくはｐＨ非依存性である。好ましくは、前記イオウを主成分とする捕捉剤は、亜硫酸アルカリ金属若しくはアルカリ金属塩、亜硫酸水素アルカリ金属若しくはアルカリ金属塩、又はそれらの混合物から選ばれる。最も好ましくはイオウを主成分とする捕捉剤は、亜硫酸カリウムである。
【００３３】
本発明によるイオウを主成分とする捕捉剤は、液体組成物の合計重量に基づく合計濃度として、約０．００１％〜約２．０％、より好ましくは約０．０１％〜約０．５％存在する。イオウ以外を主成分とするホルムアルデヒド捕捉剤が存在する場合、液体組成物の重量に基づき、組成物中に約０．０００１％〜１％、より好ましくは０．００１％〜０．２％の合計濃度で好ましくは存在する。液体組成物中での、イオウ以外を主成分とする捕捉剤のイオウを主成分とする捕捉剤に対する比率は、好ましくは０．００１：１〜５：１、より好ましくは０．０１：１〜１：１である。イオウを主成分とする捕捉剤のマイクロカプセル壁材に対する比率は、好ましくは０．０５：１〜１０：１、より好ましくは０．１：１〜６：１である。マイクロカプセル壁材の濃度は、例えば、実施例に記載されるマイクロカプセル壁材形成プロセスに用いられる壁材成分の測定値である。
【００３４】
本発明の１つの実施形態では、アルデヒド含有樹脂と、ｐＨ  ８及び２１℃において１５分間で６０％を超える反応完結度を達成するホルムアルデヒドと反応する１つ以上のホルムアルデヒド捕捉剤と、を含む、マイクロカプセルを含む液体組成物が提供される。理論に束縛されることなしに、イオウ含有捕捉剤は製品中に存在するホルムアルデヒドとの高速反応により製品変色を防止すると信じられる（以下のグラフを参照されたい）。捕捉反応動力学は、低分子量捕捉剤はホルムアルデヒドと反応するために、より動きやすいこと、単純な捕捉反応は、捕捉剤がホルムアルデヒドと同一な相でなければならないために、複雑多段階反応の水溶性の捕捉剤よりも速いこと、を含む複数の因子により影響されると考えられる。ホルムアルデヒドと同一の又はより速い速度で反応する物質も、同様の様式で変色を防止する。
【００３５】
ホルムアルデヒド捕捉試験方法：
ホルムアルデヒド捕捉剤の捕捉動力学の評価は、生成された反応生成物の定量化により遂行される。％反応完結率は、測定された反応生成物の量を、理論的に生成され得る反応生成物の最大量で除算された、測定された反応生成物の量として定義される（全ホルムアルデヒドが捕捉剤により捕捉されたと仮定して）
動力学的実験は２１℃で、市販の緩衝液中でｐＨ  ８において遂行される（メルク（Merck）ホウ酸／水酸化ナトリウム／塩化水素混合に基づきｎｏ１．０９４６０）。この緩衝液に、０．２重量％のホルムアルデヒド及び全ホルムアルデヒドを補足するのに必要な捕捉剤の２倍の理論的な濃度（全ホルムアルデヒドが捕捉されると仮定して）を加えて混合する。例えば１モル対１モルの反応であるホルムアルデヒドと亜硫酸カリウムの反応動力学を決定するためには、２．１重量％亜硫酸カリウムが０．２重量％ホルムアルデヒドに加えられる。液体混合物中のホルムアルデヒド及び捕捉剤の間の反応の収率は、質量分析法により直接測定され得る。本明細書における実験の目的のために、本出願人は三連四重極質量分析計（サイエックス・アプライド・バイオシステムス（Sciex Applied Biosystems）からのＡＰＩ３０００）を用いた。質量分析計は亜硫酸塩／ホルムアルデヒドの１／１反応生成物（ヒドロキシメタンスルホン酸）及びアセト酢酸アミド／ホルムアルデヒドの２／１反応生成物（２，４−ジアセチルグルタルアミド）を経時的に追跡するために調整された。測定は製造者のマニュアルに従って取得された。
【００３６】
図１から見られるように、１５分目に亜硫酸カリウム捕捉剤は、実質的に１００％反応（＋／−５％誤差）を完結する一方、アセト酢酸アミドは約３５％の反応完結を達成したのみであった。
【００３７】
任意の組成物成分
本発明の液体組成物は以下に示す任意成分の列記から選択される、その他の成分を含んでよい。以下の本明細書の以下において特に指示しない限り、特定の洗浄用補助剤の「有効な量」は、洗浄剤組成物の、好ましくは０．０１重量％からであり、より好ましくは０．１重量％からであり、更により好ましくは１重量％〜２０重量％であり、より好ましくは１５重量％までであり、更により好ましくは１０重量％までであり、更により好ましくは７重量％までであり、最も好ましくは５重量％までである。
【００３８】
真珠光沢剤
本発明の１つの実施形態では、組成物は真珠光沢剤を含み得る。
【００３９】
真珠光沢剤は有機物であっても無機物であってもよい。有機真珠光沢剤の典型例としては、カプロン酸、カプリル酸、２−エチヘキサン酸、カプリン酸、ラウリン酸、イソトリデカン酸、ミリスチン酸、パルミチン酸、パルミトレイン酸、ステアリン酸、イソステアリン酸、オレイン酸、エライジン酸、ペトロセリン酸、リノール酸、リノレイン酸、アラキン酸、ガドレイン酸、ベヘン酸、エルカ酸、及びこれらの混合物などの約６〜約２２、好ましくは約１２〜約１８の炭素原子を含む脂肪酸を有する、エチレングリコール、プロピレングリコール、ジエチレングリコール、ジプロピレングリコール、トリエチレングリコール又はテトラエチレングリコールの、モノエステル及び／又はジエステルが挙げられる。
【００４０】
好適な無機真珠光沢剤としては、雲母、金属酸化物被覆雲母、シリカ被覆雲母、オキシ塩化ビスマス被覆雲母、オキシ塩化ビスマス、ミリスチルミリステート、ガラス、金属酸化物被覆ガラス、グアニン、グリッター（ポリエステル又は金属）及びこれらの混合物からなる群から選択されるものが挙げられる。好適な雲母には白雲母又はフッ素化水酸化アルミニウムカリウム（potassium aluminum hydroxide fluoride）が挙げられる。板状晶の雲母は好ましくは金属酸化物の薄層で被覆される。好適な金属酸化物は、ルチル、二酸化チタン、酸化第二鉄、酸化錫、アルミナ及びこれらの混合物からなる群から選択される。結晶性真珠光沢層は、金属酸化物で被覆された雲母を約７３２℃で焼成することによって形成される。加熱により樹脂中に不溶性の不活性顔料が生成され、そのものは安定した色相を有し、その後の加工の熱応力に耐える。
【００４１】
界面活性剤又は洗浄界面活性剤
本発明の組成物は、約１重量％〜約８０重量％の界面活性剤を含んでよい。好ましくは、このような組成物は、約５重量％〜５０重量％の界面活性剤を含む。
【００４２】
使用される洗浄性界面活性剤は、アニオン性、非イオン性、双極性、両性、若しくは陽イオン性の種類のものにすることができ、又は、これらの種類の界面活性剤の相容性の混合物を含むことができる。より好ましくは、界面活性剤はアニオン性、非イオン性、陽イオン性の界面活性剤及びこれらの混合物からなる群から選択される。好ましくは組成物はベタイン界面活性剤を実質的に含まない。本明細書において有用な洗剤界面活性剤は、１９７２年５月２３日にノリス（Norris）に発行された米国特許第３，６６４，９６１号、ラフリン（Laughlin）らに１９７５年１２月３０日に発行された米国特許第３，９１９，６７８号、コックレル（Cockrell）に１９８０年９月１６日に発行された米国特許第４，２２２，９０５号、及びマーフィー（Murphy）に１９８０年１２月１６日に発行された米国特許第４，２３９，６５９号に記載されている。アニオン性及び非イオン性の界面活性剤が好ましい。
【００４３】
有用なアニオン性界面活性剤は、それら自体が、幾つか異なる種類の界面活性剤になることができる。例えば、高級脂肪酸の水溶性塩、すなわち「石鹸」は、本明細書の組成物において有用なアニオン性界面活性剤である。これには、約８〜約２４の炭素原子、好ましくは約１２〜約１８の炭素原子を含有する高級脂肪酸のナトリウム、カリウム、アンモニウム、及びアルキルアンモニウム塩のようなアルカリ金属石鹸、が挙げられる。石鹸は、脂肪類及び油類の直接鹸化によって、又は遊離脂肪酸の中和によって製造することができる。特に有用であるのは、ココヤシ油及び獣脂から誘導される脂肪酸の混合物のナトリウム塩及びカリウム塩、すなわち、ナトリウム又はカリウム獣脂及びココヤシ石鹸である。石鹸も有用な構築作用を有する。
【００４４】
本明細書に用いるのに好適な、石鹸以外の追加的なアニオン性界面活性剤としては、その分子構造内に約１０〜約２０個の炭素原子を含有するアルキル基、スルホン酸又は硫酸エステル基及び所望によりアルコキシル化されるものを有する、有機イオウ反応生成物の、水溶性塩類、好ましくはアルカリ金属及びアンモニウム塩が挙げられる（用語「アルキル」にはアシル基のアルキル部分が含まれる）。この群の合成界面活性剤の例は、ａ）アルキル硫酸ナトリウム、アルキル硫酸カリウム、及びアルキル硫酸アンモニウム、特に、獣脂又はココヤシ油のグリセリドの還元によって生成されるもののような高級アルコール（Ｃ８〜Ｃ１８炭素原子）の硫酸化によって得られるもの、ｂ）アルキルポリエトキシレート硫酸ナトリウム、アルキルポリエトキシレート硫酸カリウム、及びアルキルポリエトキシレート硫酸アンモニウム、特に、アルキル基が１０〜２２個、好ましくは１２〜１８個の炭素原子を含有し、ポリエトキシレート鎖が１〜１５個、好ましくは１〜６個のエトキシレート部分を含有するもの、並びに、ｃ）アルキル基が直鎖又は分枝鎖構造中に約９〜約１５個の炭素原子を含有する、アルキルベンゼンスルホン酸ナトリウム及びアルキルベンゼンスルホン酸カリウム、例えば、米国特許第２，２２０，０９９号及び同第２，４７７，３８３号に記載の種類のものである。とりわけ価値があるのは、アルキル基の平均炭素原子数が約１１〜１３個のＣ１１〜Ｃ１３ＬＡＳと略される、直鎖アルキルベンゼンスルホン酸塩である。
【００４５】
好ましい非イオン性界面活性剤は、式Ｒ１（ＯＣ２Ｈ４）ｎＯＨのものであり、式中、Ｒ１は、Ｃ１０〜Ｃ１６アルキル基又はＣ８〜Ｃ１２アルキルフェニル基であり、ｎは３〜約８０である。特に好ましいのは、Ｃ１２〜Ｃ１５アルコールと、アルコール１モル当たり約５〜約２０モルのエチレンオキシドとの縮合生成物であり、例えば、Ｃ１２〜Ｃ１３アルコールをアルコール１モル当たり約６．５モルのエチレンオキシドで縮合したものである。
【００４６】
布地ケア有益剤
本発明の組成物は、織物ケア有益剤を含んでよい。本明細書で用いる場合、「布地ケア有益剤」は、その材料が適切な量で衣服／布地の上にあるときに、布地ケアに効果を与えるあらゆる材料を指し、例えば、布地柔軟化、着色保護、毛玉／毛羽削減、磨耗防止、皺防止などの効果を衣服及び布地、特に綿及び綿が多い衣服並びに布地に対して与える。布地ケア有益剤の非限定的な例として、陽イオン性界面活性剤、シリコーン、ポリオレフィンワックス、ラテックス、油性糖誘導体、陽イオン性多糖、ポリウレタン、脂肪酸、及びこれらの混合物が挙げられる。組成物中に存在する場合の布地ケア有益剤は、組成物の、少なくとも３０重量％までの濃度が好適であり、より典型的には約１重量％〜約２０重量％であり、特定の実施形態では好ましくは約２重量％〜約１０重量％である。
【００４７】
好適な布地ケア有益剤としては、ポリ（ジ）アルキルシロキサン、特にポリジメチルシロキサンなどのシリコーン流体が挙げられる。
【００４８】
洗浄用酵素
本明細書における使用に適した洗浄性酵素としては、プロテアーゼ、アミラーゼ、リパーゼ、セルラーゼ、マンナナーゼ及びエンドグルカナ−ゼを含むカルボヒドラーゼ、並びにこれらの混合物が挙げられる。酵素は、その技術分野で教示される濃度、例えば、ノボ（Novo）及びジェネンコア（Genencor）のような供給元によって推奨される濃度で使用することができる。組成物中の典型的な濃度は約０．０００１％〜約５％である。酵素がある場合、それらは特定の実施形態では、非常に低濃度、例えば０．０００１％又はそれ以下で使用でき、あるいは本発明に従った高濃度、例えば約０．１％及びそれ以上の濃度の、より強力型洗浄剤処方に使用できる。「非生物学的」洗剤を好む消費者もいるため、本発明は酵素含有の実施形態と酵素を含まない実施形態の両方を含む。
【００４９】
付着助剤
本明細書で使用する場合、「付着補助剤」は、洗濯中に布地ケア有益剤の布地への付着を顕著に高める、あらゆるカチオン性ポリマー若しくは両性ポリマー、又はカチオン性ポリマー及び両性ポリマーの組み合わせを指す。好ましくは、付着補助剤は、存在する場合、カチオン性、又は両性ポリマーである。本発明の両性ポリマーは、合計ゼロ又はカチオン性の電荷を有し、すなわち、これらのポリマー上にあるカチオン性電荷の合計が、アニオン性電荷の合計と同等であるか、アニオン性電荷の合計を上回る。ポリマーの電荷密度は、約０．０ミリ当量／ｇ〜約６ミリ当量／ｇの範囲である。電荷密度は反復単位当りの正味の電荷数を反復単位の分子量で除算して計算される。一実施形態では、電荷密度は約０．０ミリ当量／ｇ〜約３ミリ当量／ｇに変わる。正電荷は、ポリマーの主鎖又はポリマーの側鎖上に存在することができる。
【００５０】
レオロジー変性剤
本発明の好適な実施形態では、組成物はレオロジー変性剤を含む。レオロジー変性剤は、非高分子結晶性のヒドロキシ官能性材料、高分子レオロジー変性剤からなる群から選択され、組成物の水性液体マトリックスに減粘特性を付与する。
【００５１】
一般的にレオロジー変性剤は本明細書の組成物の、０．０１重量％〜１重量％、好ましくは０．０５重量％〜０．７５重量％、より好ましくは０．１重量％〜０．５重量％を含む。
【００５２】
本発明の組成物に特に有用である構造剤は、マトリックス系内で結晶化されると、液体マトリックスの全体にわたって糸様構造系を形成することができる非高分子（従来のアルコキシル化を除く）結晶性ヒドロキシ官能性材料を含む。そのような物質は、一般に、結晶性ヒドロキシル含有脂肪酸、脂肪酸エステル又は脂肪ろうとして特徴付けできる。好適な結晶性、ヒドロキシル含有レオロジー変性剤としてはひまし油及びその誘導体を含むヒドロキシル含有レオロジー変性剤が挙げられる。特に好ましいものは、硬化ヒマシ油及び水素添加キャスター蝋などの硬化ヒマシ油誘導体である。好適なレオロジー変性剤はヒマシ油を主成分とする、ＴＨＩＸＣＩＮ（登録商標）の商品名でレオックス社（Rheox, Inc.）（現在はエレメンティス（Elementis））から入手可能な結晶性ヒドロキシル含有レオロジー変性剤である。
【００５３】
前述した、非高分子、結晶性、ヒドロキシル基含有レオロジー変性剤以外の、その他のタイプのレオロジー変性剤は、本明細書の液体洗剤組成物に利用できる。また、水性液体マトリックスに減粘特性を提供する高分子物質が使用されてもよい。
【００５４】
好適な高分子レオロジー変性剤には、ポリアクリレート、多糖類又は多糖類誘導体のタイプのものが挙げられる。レオロジー変性剤に典型的用いられる多糖類誘導体は高分子ゴム材料が含まれる。そのようなゴムには、ペクチン、アルギネート、アラビノガラクタン（アラビアゴム）、カラギーナン、ジェランガム、キサンタンガム及びグアーガムが挙げられる。
【００５５】
レオロジー変性剤が存在せず、好適なせん断力による粘度低下（shear thinning）特性を液体組成物に与える目的で、液体組成物は界面活性剤相化学又はゲル相を介して内部構造化することができる。
【００５６】
研磨剤
本発明の組成物は任意でビルダーを含んでもよい。好適なビルダーを以下に説明する。
【００５７】
適したポリカルボキシレートビルダーとしては、米国特許第３，９２３，６７９号、第３，８３５，１６３号、第４，１５８，６３５号、第４，１２０，８７４号及び第４，１０２，９０３号に記載されるような環状化合物、特に脂環式化合物が挙げられる。
【００５８】
その他の有用な洗剤性ビルダーとしては、エーテルヒドロキシポリカルボキシレート、無水マレイン酸のエチレン又はビニルメチルエーテルとのコポリマー、１，３，５−トリヒドロキシベンゼン−２，４，６−トリスルホン酸、及びカルボキシメチルオキシコハク酸、エチレンジアミン四酢酸及びニトリロ三酢酸のようなポリ酢酸の各種アルカリ金属塩、アンモニウム塩及び置換型アンモニウム塩、並びにメリト酸、コハク酸、オキシジコハク酸、ポリマレイン酸、ベンゼン−１，３，５−トリカルボン酸、カルボキシメチルオキシコハク酸、及びこれらの可溶性塩のようなポリカルボキシレートが挙げられる。
【００５９】
クエン酸塩ビルダー、例えば、クエン酸及びその可溶性の塩（特にナトリウム塩）は、その再生可能な資源からの可溶性及びその生分解性のために、重質の液体洗剤配合物にとって特に重要なポリカルボキシレートビルダーである。オキシニコハク酸塩は、またかかる組成物及び組み合わせにおいて特に有用である。
【００６０】
窒素を含有し、リンを含まないアミノカルボキシレートの具体的な例としては、エチレンジアミン二コハク酸及びその塩（エチレンジアミンジスクシネート、ＥＤＤＳ）、エチレンジアミン四酢酸及びその塩（エチレンジアミンテトラアセテート、ＥＤＴＡ）、並びにジエチレントリアミン五酢酸及びその塩（ジエチレントリアミンペンタアセテート、ＤＴＰＡ）が挙げられる。
【００６１】
他の好適なポリカルボキシレートが、米国特許第４，１４４，２２６号（クラッチフィールド（Crutchfield）ら、１９７９年３月１３日発行）及び米国特許第３，３０８，０６７号（ディール（Diehl）、１９６７年３月７日発行）に開示されている。ディール（Diehl）の米国特許第３，７２３，３２２号も参照されたい。かかる物質には、マレイン酸、イタコン酸、メサコン酸、フマル酸、アコニット酸、シトラコン酸、及びメチレンマロン酸のような脂肪族カルボン酸の、ホモ及びコポリマーの水溶性塩が挙げられる。
【００６２】
漂白剤系
本明細書での使用に適した漂白剤系は１種以上の漂白剤を含有する。適した漂白剤の非限定的な例は、触媒金属錯体、活性過酸素源、漂白活性化剤、漂白ブースター、光漂白剤、漂白性酵素、フリーラジカル開始剤、及び次亜ハロゲン酸漂白剤からなる群から選択される。
【００６３】
適した活性過酸素源には、予め形成された過酸、漂白活性化剤と組み合わせた過酸化水素源、又はこれらの混合物が挙げられるがこれらに限定されない。適した予め形成された過酸としては、ペルカルボン酸及び塩、過炭酸及び塩、ペルイミド酸及び塩、ペルオキシ一硫酸並びに塩及びこれらの混合物からなる群から選択される化合物が挙げられるがこれらに限定されない。適した過酸化水素供給源としては、過ホウ酸塩化合物、過炭酸塩化合物、過リン酸塩化合物及びこれらの混合物からなる群から選択される化合物が挙げられるがこれらに限定されない。活性過酸素源の好適な種類及び濃度は、米国特許第５，５７６，２８２号、同第６，３０６，８１２号及び同第６，３２６，３４８号に見出される。
【００６４】
香料
好ましくは、香料が本発明の洗剤組成物に組み込まれる。香料成分はプレミックスされ、本発明の洗剤組成物に添加する前に調和する香料を形成する。本明細書で用いる場合、「香料」は個別の香料成分並びに調和香料（perfume accord）を網羅する。本発明のより好適な組成物は香料マイクロカプセルを含む。
【００６５】
洗剤組成物における調和香料の濃度は、洗剤組成物の、典型的には約０．０００１重量％〜約５重量％又はそれ以上、例えば１０重量％までであり、好ましくは約０．０００２重量％〜約４．０重量％、より好ましくは約０．００３重量％〜約３．０重量％、最も好ましくは約０．００５重量％〜約２．０重量％である。
【００６６】
溶媒系
本発明の組成物における溶媒系は水だけ、又は有機溶媒と水との混合物を含有する溶媒系であることができる。好適な有機溶媒には１，２−プロパンジオール、エタノール、グリセロール、ジプロピレンジグリコール、メチルプロパンジオール、及びこれらの混合物が挙げられる。また、他の低級アルコール、モノエタノールアミン及びトリエタノールアミンのようなＣ１〜Ｃ４アルカノールアミンも使用することができる。溶媒系は、例えば本発明の無水固形物実施形態の実施例のように、無くてもよいが、より典型的には約０．１％〜９８％の範囲にある濃度で存在でき、好ましくは少なくとも約１０％〜約９５％、より通常的には約２５％〜約７５％で存在する。
【００６７】
布地質感染料及び色相染料
染料は従来、酸性染料、塩基性染料、反応性染料、分散性染料、直接性染料、バット染料、硫黄染料、溶媒染料などとして規定される。本発明の目的には、直接染料、酸性染料、及び反応性染料が好適であり、直接染料が最も好適である。直接染料は水溶性染料のグループであり、恐らく選択的吸着による電解質を含有する水溶液から繊維によって直接的に引き取られる。カラーインデックスシステムでは、直接染料は様々な平面的で、高度に共役した分子構造のものを指し、１つ以上のアニオン性スルホネートを含有する。酸性染料は水溶性アニオン性染料のグループであり、酸性溶液から適用される。反応性染料は天然繊維又は合成繊維の分子の特定部分と共有結合を形成することが可能な反応性基を含有する染料のグループである。化学的構造の観点から、本明細書に有用で適切な布地質感染料は、アゾ化合物、スチルベン、オキサジン及びフタロシアニンであってよい。
【００６８】
本明細書に用いられる好適な布地質感染料は、カラーインデックス中に直接バイオレット染料、直接ブルー染料、酸性バイオレット染料及び酸性ブルー染料として列記されるものを含む。
【００６９】
色相染料は洗濯用洗剤組成物中に洗剤を包含する溶液中で洗浄される布地に着色効果を与えるのに十分な量が含まれる。一実施形態では、組成物は色相染料を約０．０００１重量％〜約０．０５重量％、より具体的には約０．００１重量％〜約０．０１重量％を含む。
【００７０】
代表的色相染料としては、表２に説明するようなトリアリールメタンブルー及びバイオレット塩基性染料、表３に説明されるようなメチンブルー及びバイオレット塩基性染料、表４に説明されるようなアントラキノン染料、アントラキノン染料塩基性ブルー３５及び塩基性ブルー８０、アゾ染料塩基性ブルー１６、塩基性ブルー６５、塩基性ブルー６６、塩基性ブルー６７、塩基性ブルー７１、塩基性ブルー１５９、塩基性バイオレット１９、塩基性バイオレット３５、塩基性バイオレット３８、塩基性バイオレット４８、オキサジン染料塩基性ブルー３、塩基性ブルー７５、塩基性ブルー９５、塩基性ブルー１２２、塩基性ブルー１２４、塩基性ブルー１４１、ナイルブルーＡ及びキサンテン染料塩基性バイオレット１０、並びにこれらの混合物が挙げられる。
【００７１】
カプセル化組成物
本発明の組成物は、水溶性フィルム内にカプセル化されてもよい。水溶性フィルムは、ポリビニルアルコール又はその他の好適な変形物、カルボキシメチルセルロース、セルロース誘導体、デンプン、加工デンプン、ショ糖、ＰＥＧ、ワックス、又はこれらの組み合わせから製造されてよい。
【００７２】
別の実施形態において、水溶性フィルムは、ビニルアルコールとカルボン酸のコポリマーを含んでもよい。米国特許第７，０２２，６５６  Ｂ２号（モノソル社（Monosol））にはそのようなフィルム組成物及びこれらの利点が記述される。これらのコポリマーの一効果は、洗剤との良好な適合性の結果による袋包装（パウチ化）洗剤の貯蔵寿命改善である。かかるフィルムの別の利点は、冷水（１０℃未満）へのその溶解性がより優れていることである。フィルム材料中にあるそのコポリマーの濃度はフィルム中、少なくとも６０重量％である。ポリマーは、任意の重量平均分子量を有することができ、好ましくは、１０００ダルトン〜１，０００，０００ダルトン、より好ましくは１０，０００ダルトン〜３００，０００ダルトン、更に好ましくは１５，０００ダルトン〜２００，０００ダルトン、最も好ましくは２０，０００ダルトン〜１５０，０００ダルトンである。好ましくは、前記フィルム内に存在するコポリマーは、材料の溶解を改善させるために６０％〜９８％、より好ましくは８０％〜９５％が加水分解されている。極めて好ましい実施例では、前記コポリマーは０．１モル％〜３０モル％、好ましくは１モル％〜６モル％の前記カルボン酸を含む。
【００７３】
本発明の水溶性フィルムは、追加のコモノマーを更に含んでよい。好適な追加のコモノマーとしては、スルホネート及びエトキシレートが挙げられる。好ましいスルホン酸の一例は、２−アクリルアミド−２−メチル−１−プロパンスルホン酸（ＡＭＰＳ）である。本発明の文脈で用いられる好適な水溶性フィルムは、商標名Ｍ８６３０（商標）にて、モノ−ソル社（Mono-Sol）（米国、インディアナ州）から市販されている。本明細書の水溶性フィルムは、ポリマー又はポリマー材料以外の成分も含んでよい。例えば、可塑剤、例えばグリセロール、エチレングリコール、ジエチレングリコール、プロパンジオール、２−メチル−１，３−プロパンジオール、ソルビトール及びこれらの混合物、追加の水、崩壊助剤、充填剤、消泡剤、乳化／分散剤、並びに／又はブロッキング防止剤を加えることが有益であり得る。パウチ又は水溶性フィルム自体が、洗浄水に供給されるべき洗剤添加物、例えば、有機ポリマー性の汚れ放出剤、分散剤、移染防止剤などを含むことが有用であり得る。所望によりパウチのフィルム表面に微細粉末を散布して、摩擦係数を減少させてもよい。アルミノケイ酸ナトリウム、シリカ、タルク及びアミロースは、好適な微細粉末の例である。
【００７４】
本発明のカプセル化パウチはあらゆる従来の技法を使用して製造できる。パウチは水平形態充填のサーモフォーミング技法を使用して製造されることがより好ましい。
【００７５】
その他の補助剤
その他好適な洗浄補助剤の、非限定的な例には、トリメトキシ安息香酸又はこれらの塩（ＴＭＢＡ）のようなアルコキシル化安息香酸又はこれらの塩；酵素安定化系；アミノカルボキシレート、アミノホスホネート、窒素非含有ホスホネート、及びリン及びカルボン酸塩非含有キレート剤を含むキレート剤；ゼオライトのような無機ビルダーを含む無機ビルダー及びポリアクリレート、アクリレート／マレエートコポリマーなどのような水溶性有機ビルダー、及びアニオン性染料固着剤、アニオン性界面活性剤の錯化剤、及びこれらの混合剤を含むスカベンジング剤；過酸化水素及びカタラーゼを含む発泡性系；光学的光沢剤又は蛍光剤；汚れ放出ポリマー；分散剤；泡抑制剤；染料；着色剤；硫酸ナトリウムのような増量剤塩；トルエンスルホネート、キュメンスルホネート、及びナフタレンスルホネートのようなヒドロトロープ；光活性化剤；加水分解性界面活性剤；防腐剤；酸化防止剤；収縮防止剤；防皺剤；殺菌剤；殺真菌剤；色スペックル；着色ビーズ、球状物又は押出し品；日焼け止め剤；フッ素化化合物；粘土；発光剤又は化学発光剤；耐腐食及び／又は器具保護剤；アルカリ性供給源又は他のｐＨ調節剤；可溶化剤；加工助剤；顔料；フリーラジカル捕捉剤、及びこれらの混合物が挙げられる。好適な物質としては、米国特許第５，７０５，４６４号、同５，７１０，１１５号、５，６９８，５０４号、５，６９５，６７９号、５，６８６，０１４号及び同５，６４６，１０１号に記載されているようなものが挙げられる。補助剤の混合物−前記成分の混合物はいかなる割合でも製造できる。
【００７６】
組成物の調製
本明細書における組成物は、一般的に最初にマイクロカプセルのスラリー及び所望によりホルムアルデヒド捕捉剤、好ましくはイオウ以外を含むホルムアルデヒド捕捉剤を調製すること、次いで前記スラリーとイオウを含有するホルムアルデヒド捕捉剤を含む残りの成分とを混合することにより調製できる。
【００７７】
レオロジー変性剤を使用する場合、組成物を構成するために最終的に用いられ、レオロジー変性剤がその水の部分に分散されるプレミックスを最初に形成し、次いでプレミックスを組成物と組み合わせることが好ましい。
【実施例】
【００７８】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の書類名特許請求の範囲で扱うものとする。
【００７９】
実施例１及び２は好適なマイクロカプセル及びその製造法の例である
実施例１：８４重量％コア／１６重量％壁のメラミンホルムアルデヒド（ＭＦ）カプセル
２５グラムのブチルアクリレート−アクリル酸コポリマー乳化剤（Ｃｏｌｌｏｉｄ  Ｃ３５１、２５％固形分、ｐＫａ  ４．５〜４．７、ケミラ・ケミカルズ社（Kemira Chemicals, Inc.）（米国ジョージア州ケネソー（Kennesaw））を脱イオン水２００グラムに溶解及び混合する。溶液のｐＨは水酸化ナトリウム溶液でｐＨ  ４．０に調整する。８ｇの部分メチル化メチロールメラミン樹脂（サイメル（Cymel）３８５、８０％固形分（サイテック・インダストリーズ（Cytec Industries）米国、ニュージャージー州ウエスト・パターソン（West Paterson））をエマルション溶液に添加する。先の混合物に機械的撹拌下において２００ｇの香油を添加し、温度を５０℃へと上昇させた。安定なエマルションが得られるまで高速で混合した後に、第２の溶液及び４グラムの硫酸ナトリウム塩をこのエマルションに添加する。この第２の溶液は、ブチルアクリレート−アクリル酸コポリマー乳化剤（コロイドＣ３５１（Colloid C351）、２５％固形分、ｐＫａ  ４．５〜４．７、ケミラ社（Kemira））１０グラム、蒸留水１２０グラム、ｐＨを４．８に調整するための水酸化ナトリウム溶液、部分メチル化メチロールメラミン樹脂（サイメル３８５、８０％固形分、サイテック社（Cytec））２５グラムを含有する。この混合物を、７０℃に加熱し、封入プロセスを完結させるために、継続的撹拌下に一晩同温度に維持した。２３ｇのアセト酢酸アミド（シグマ・アルドリッチ（Sigma-Aldrich）、米国ミズーリ州セントルイス）を懸濁物に加えた。モデル７８０  Ａｃｃｕｓｉｚｅｒにより分析したときに３０μｍの平均カプセルサイズを得た。
【００８０】
実施例２：８０重量％コア／２０重量％壁のメラミンホルムアルデヒドカプセル
ブチルアクリレート−アクリル酸コポリマー乳化剤（コロイドＣ３５１（Colloid C351）、２５％固形分、ｐＫａ  ４．５〜４．７、ケミラ社（Kemira））５０％とポリアクリル酸（３５％固形分、ｐＫａ  １．５〜２．５、アルドリッチ社（Aldrich））５０％とのブレンド１８グラムを脱イオン水２００グラムに溶解及び混合する。溶液のｐＨは水酸化ナトリウム溶液でｐＨ  ３．５に調整する。６．５ｇの部分メチル化メチロールメラミン樹脂（Ｃｙｍｅｌ  ３８５、８０％固形分Ｃｙｔｅｃ）をエマルション溶液に添加する。先の混合物に機械的撹拌下で２００ｇの香油を添加し、温度を６０℃へと上昇させた。安定なエマルションが得られるまで高速で混合した後に、第２の溶液及び３．５グラムの硫酸ナトリウム塩をこのエマルションの中に注ぐ。この第２の溶液は、ブチルアクリレート−アクリル酸コポリマー乳化剤（コロイドＣ３５１（Colloid C351）、２５％固形分、ｐＫａ  ４．５〜４．７、ケミラ社）１０グラム、蒸留水１２０グラム、ｐＨを４．６に調整するための水酸化ナトリウム溶液、部分メチル化メチロールメラミン樹脂（サイメル３８５、８０％、サイテック社）３０グラムを含有する。この混合物を、７５℃に加熱し、封入プロセスを完結させるために、継続的撹拌下において一晩同温度に維持した。２３ｇのアセト酢酸アミド（シグマ・アルドリッチ、米国ミズーリ州セントルイス）を懸濁物に加えた。
【００８１】
本発明の利益を実証するために、本出願人は以下の表１の液体洗剤マトリックスＡを調製した。
【表１】
0005864700.tif 000006
【００８２】
この液体洗剤Ａから、複数の試料（Ａ１〜Ａ９）を異なる濃度の捕捉剤、マイクロカプセル、香料及び水（最大１００）を加えることにより調製した。青い洗剤試料をガラス瓶に入れ、アルミ箔により日光から保護して、貯蔵庫に４ヶ月３５℃で保存した。貯蔵後、洗剤試料の製品変色は２人の訓練された色彩評価者によりＰＳＵスケールを用いて等級付けされた。本明細書において言及されるＰＳＵスケールは、参照液体洗濯洗剤Ａ１及び試験液体洗濯洗剤Ａ２〜Ａ９との間の対をなす比較である。洗剤のガラス瓶は次に標準日光条件下で互いに比較される。等級付け人と試料の間の距離は２ｍであり、試料は目の高さに置かれる。等級スケールは０〜４である（下記の表２を参照）。それぞれの洗濯洗剤の等級は２人の訓練された色彩評価者により与えられた等級の平均である。結果は表３に示される。
【表２】
0005864700.tif 000007
【表３】
0005864700.tif 000008
（１）メルクァット（Merquat）５３００：９０％ＰＡＭ／５％ＡＡ／５％ＭＡＰＴＡＣのモル比のターポリマー、ナルコ（Nalco）により製造される。
（２）ＰＭＣ：香料マイクロカプセル：メラミン−ホルムアルデヒドシェルに封入された香油
（３）ＰａＭＣ：パラフィン・マイクロカプセル：メラミン−ホルムアルデヒドシェルに封入されたパラフィン油（Ｍａｒｃｏｌ  １５２、Ｅｘｘｏｎより）
（２）及び（３）の濃度は、カプセルを介して送達される香油又はパラフィン油の量として表される。
【００８３】
以下の表４は、上記の成功基準に合格する、本発明による液体組成物の例である。
【表４】
0005864700.tif 000009
（１）メルクァット（Merquat）５３００：９０％ＰＡＭ／５％ＡＡ／５％ＭＡＰＴＡＣのモル比のターポリマー、ナルコ（Nalco）により製造される。
（２）ＰＭＣ：香料マイクロカプセル：メラミン−ホルムアルデヒドシェルに封入された香油
（３）ＰａＭＣ：パラフィン・マイクロカプセル：メラミン−ホルムアルデヒドシェルに封入されたパラフィン油（Ｍａｒｃｏｌ  １５２、Ｅｘｘｏｎより）
（２）及び（３）の濃度はカプセルを介して送達される香油又はパラフィン油の量として表される。
【００８４】
以下のものは、液体組成物がＰＶＡフィルム内に封入される単位容量の実施例である（表５）。本実施例において好適なフィルムは、モノソル（Monosol）Ｍ８６３０厚さ７６μｍである。
【表５】
0005864700.tif 000010
【００８５】
本明細書に開示される寸法及び値は、列挙された正確な数値に厳しく制限されるものとして理解されるべきでない。それよりむしろ、特に指定されない限り、こうした各寸法は、列挙された値とその値周辺の機能的に同等の範囲の両方を意味することを意図する。例えば、「４０ｍｍ」として開示された寸法は、「約４０ｍｍ」を意味することを意図する。
【図面の簡単な説明】
【００８６】
【図１】図１は、ｐＨ８、２１℃でのアセト酢酸アミドおよび亜硫酸カリウムのホルムアルデヒド捕捉反応動力学を示す。
【図１】
0005864700.tif 000011